(57)【要約】      （修正有）【課題】光ファイバージャイロスコープ（ＦＯＧ）のための環境変動に強いファイバーデポラライザを提供する。【解決手段】デポラライザは、実質的に、時計回りの伝播レッグ３２と反時計回りの伝播レッグ３４とを含み、ジャイロスコープの検出コイル３６の端部のところで離れて連結される。ファイバーデポラライザは、セグメント結合された高複屈折フォトニック結晶ファイバーから形成される。ファイバーデポラライザは、ＦＯＧ２０におけるシュッペ効果を低減し、および／または、ＦＯＧの光学回路におけるいずれの位置でも光を脱偏光させる。シュッペ効果を低減するデポラライザは、ＦＯＧ検出コイルから離れてパッケージでき、またはＦＯＧ検出コイルの外径上に対称なパターンで巻くことができる。【選択図】図１
2010217171.tif 000002
【特許請求の範囲】
【請求項１】
光ファイバージャイロスコープであって、
前記光ファイバージャイロスコープはデポラライザを有し、前記デポラライザは、時計回りの伝播レッグおよび反時計回りの伝播レッグを備え、前記レッグの各々は偏光保持（ＰＭ）フォトニック結晶ファイバーデポラライザセグメントを備え、
前記光ファイバージャイロスコープはジャイロスコープ検出コイルを有し、前記レッグの各々は巻パターンに巻かれ、前記レッグの各々は前記ジャイロスコープ検出コイルの端部に連結され、前記ファイバーデポラライザは、光が前記ジャイロスコープ検出コイル内を進むときに環境変動の効果を緩和するように構成される、光ファイバージャイロスコープ。
【請求項２】
請求項１に記載の光ファイバージャイロスコープであって、前記時計回りの伝播レッグおよび前記反時計回りの伝播レッグは、実質的に等しいファイバーコーティング
および実質的に等しい長さを備える、光ファイバージャイロスコープ。
【請求項３】
請求項１に記載の光ファイバージャイロスコープであって、前記時計回りの伝播レッグおよび前記反時計回りの伝播レッグの少なくとも１つはさらに、少なくとも１つの、単一モードファイバーセグメントを有し、前記単一モードファイバーセグメントはファイバーコーティングを備え、前記ファイバーコーティングは、前記時計周りの伝播レッグおよび前記反時計回りの伝播レッグの偏光保持ファイバーセグメントに実質的に熱適に等しい、光ファイバージャイロスコープ。
【発明の詳細な説明】
【技術分野】
【０００１】
本発明は、高複屈折フォトニック結晶ファイバーを用いた光ファイバージャイロスコープ（ＦＯＧ）のためのデポラライザに関する。
【背景技術】
【０００２】
衛星応用および防衛応用は、典型的には高精度で且つ温度環境の変化にわたって長期間の安定性を備えるジャイロを必要とする。環境から引き起こされる誤作動を減少させることは、長期間にわたり性能を維持する能力を改善し、広範囲にわたる用途に使用できるようにする。
【０００３】
光ファイバージャイロスコープは、光ファイバーケーブルで形成されるコイルの周りに時計回りおよび反時計回りに伝播する光波の間に形成される位相差を比較することにより角速度を測定する。光波はファイバーに連結された光源から発振され、分割されて時計回りの伝播通路と反時計周りの伝播通路とに導かれる。その後、反対方向に進む光波は、再び結合され光検出器に衝突するようにされ、光検出器は、結合された反対方向に進む光波の強度および反対方向に進む波の位相差に比例した出力信号を生成する。位相差、つまり角速度は、検出器の出力信号を分析することで導かれる。
【０００４】
それゆえ、ジャイロスコープでは位相差は２つの状況下で形成され、すなわち、反対方向に伝播する光波がファイバーケーブルの等しくない距離を進むとき、および、巻かれたコイルにより形成される開口に垂直な軸を中心にケーブルが回転するとき、に位相差が形成される。対称に設計された伝播通路を備える理想的なジャイロスコープにおいて、反対方向に伝播する光波の間の測定可能な位相のずれは、直接的に、反対方向に伝播する光波の間の位相ずれにより誘導された回転に対応するであろう。
【０００５】
実際のジャイロスコープは理想的ではない。ジャイロスコープは、ジャイロスコープの角速度測定性能に誤差を与える理想的ではない部品により構成される。さらに、ファイバージャイロスコープに最もコスト効率よく影響を与えるため、ジャイロスコープの測定性能に回転によらずに誘導される位相差の誤差を導入する備品の選択と妥協することが一般的である。
【０００６】
２つのタイプの望ましくない位相シフト誤差は、理想的ではない特定のジャイロスコープファイバーでトレースできる。振幅タイプの位相誤差および強度タイプの位相誤差は、光波が同一のファイバーケーブルを横切るときの、異なる偏光面からの光波成分の混合によりトレースできる。これらの位相誤差は、ジャイロスコープのファイバーコイルを形成するのに単一モードタイプのファイバーが用いられる場合に混入する。
【０００７】
単一モード（Single mode; SM）タイプのファイバーが一般に用いられる。偏波保持（polarization maintaining, PM）タイプファイバーより安価であるからである。しかし、ＳＭファイバーは、最適なファイバーの選択ではない。ＳＭファイバーは、ファイバーケーブル内で、異なる偏光面において同一位相定数を備える２つ以上の光波の同時伝播を許容するからである。ファイバー光波成分の分離を維持する能力の欠如は、両者のタイプの位相シフト誤差を導き得る。また、反対方向に進む波の偏光面が再結合されたときに整合していない場合、干渉パターンの大きさは、反対方向に進む波の偏光面の間の鋭角の余弦に従って変化するであろう。さらに、温度変化や振動応力のような環境変化に対するファイバーケーブルの高い敏感さは、複数の偏光面の問題および望ましくない位相シフト誤差の問題を増加させる。
【０００８】
望ましくない、回転によらずに誘導される位相シフト誤差は、ジャイロスコープシステム内にデポラライザを使用することにより減少させまたは取り除くことができる。ファイバーケーブル内の光を脱偏光させることにより、反対方向に進む両方の光波がより同一の光学通路を通るようになる。デポラライザは、反対方向に進む光波のそれぞれの強度を、全ての方向に等しく分配された偏光面を備える部分光の集合になるように分配する。従って、理想的に反対方向の通路を横切る脱偏光した光から形成される干渉パターンは、偏光面の差またはミスアライメントにより変化しない。反対方向に進む波の干渉パターンは、反対方向に進むそれぞれの波の偏光面に依存しないからである。
【発明の概要】
【発明が解決しようとする課題】
【０００９】
デポラライザの１つのタイプである、Lyotファイバーデポラライザは、連結されたＰＭファイバのセグメントを含み、ＰＭファイバのセグメントは、ＰＭファイバーの隣のセグメントの偏光軸に対して４５°の角度で配置された各ＰＭセグメントの偏光軸を備える。さらに、デポラライザセグメントの長さは、１つの軸に沿って偏光した光の伝播時間が、直交する軸に沿って偏光する光の伝播時間と比べて、光の伝播のコヒーレンス時間よりも大きくなるようにすべきである。しかし、デポラライザは回転によらずに誘導される位相シフト誤差を最小化するのに寄与するが、デポラライザはまた回転によらない位相シフト誤差の発生要因にもなりうる。さらに、ジャイロスコープが受ける環境変化は、しばしば、デポラライザに関連する問題を増幅させる。
【００１０】
特に、Lyotデポラライザ内の両方の通路の設計が正確に対称ではない場合、環境変化はデポラライザ、そして最終的にはジャイロスコープの測定能力に予測できない影響を与える。従って、ジャイロスコープのデポラライザの非対称性を最小化することが望ましい。
【００１１】
現在のところ、本発明の関連技術は、環境的変化に強いデポラライザの設計に必要な考慮に注意を向けていない。より具体的には、環境変化に対するファイバーデポラライザの感度を最小化する本発明により提案されるような設計研究は、関連技術においては議論または提案されていない。
【００１２】
現在のところ、Ｏｈｎｏらによる米国特許第５１３６６６７号明細書、Ｎｉｓｈｉｕｒａらによる米国特許第５３７１５９５号明細書、Ｍｕｌｌｅｒらによる米国特許第５３４７３５４号明細書、Ｎｅｇｉｓｈｉらによる米国特許第５２８５２５７号明細書、Ｎｉｓｈｉｕｒａらによる米国特許第５５２６１１５号明細書、およびＫｅｒｓｅｙらによる米国特許第５３１９４４０号明細書は、いずれも光ファイバージャイロスコープにおけるファイバーデポラライザの使用を議論している。しかし、これらの特許文献は、単に、本技術分野における通常のデポラライザの使用を教示していだけである。さらに、これらの特許文献は、環境の変化による影響を軽減するための特定のファイバーデポラライザの設計に言及していない。
【００１３】
最後に、Ｎｉｓｈｉｕｒａらによる米国特許第５３３５０６４号明細書（以下「Ｎｉｓｈｉｕｒａ」）は、新しいタイプのデポラライザの形成方法を教示している。Ｎｉｓｈｉｕｒａは、ポラライザファイバーセグメントの主軸に対して４５°の角度で、ポラライザの端部リードに偏光保持型のファイバーセグメントを接着することでデポラライザを形成する方法を教示している。それゆえＮｉｓｈｉｕｒａは、デポラライザを作成するときに、ＰＭファイバーの１つのセグメントを取り除く方法を教示しているが、デポラライザの対称性を改善する必要性またはその方法、あるいは、ファイバーデポラライザの環境に対する鈍感さを高めることを教示または提案していない。
【課題を解決するための手段】
【００１４】
光ファイバージャイロスコープ（ＦＯＧ）のための、光複屈折フォトニック結晶ファイバーを用いた環境変化に強いファイバーデポラライザの設計が提供される。この設計は、ＦＯＧにおけるシュッペ効果を減少させるために用いることができ、または、ＦＯＧの光学回路のあらゆる場所で光を脱偏光させるために用いることができる。シュッペ効果を低減させるデポラライザは、ＦＯＧの検出コイルから離れてパッケージすることができ、またはＦＯＧ検出コイルの外側直径の対称パターンになるように巻くことができる。
【００１５】
フォトニック結晶ＰＭファイバーは、従来のＰＭファイバーよりも、温度および応力に対する感度が低く、短いビート長を備える。このファイバーをデポラライザに用いることで、ファイバーを温度および応力にさらさないようにし、温度や応力による性能への影響を低下させる。
【００１６】
本発明の１つの目的は、回転検出に際して、熱的な変動および振動力の影響を緩和する光ファイバージャイロスコープの設計を提供することである。本発明の他の目的は、回転検出に際して、熱的な変動および振動力の影響を緩和する、光ファイバージャイロスコープのデポラライザの設計を提供することである。本発明のさらに他の目的は、回転検出に際して、熱的な変動および振動力の影響を緩和する、光ファイバージャイロスコープの単一モードのファイバーデポラライザの設計を提供することである。
【００１７】
本発明の好ましい実施形態および代替実施形態が添付図面とともに以下に詳細に説明される。添付図面は以下の通りである。
【図面の簡単な説明】
【００１８】
【図１】本発明の一実施形態によるファイバージャイロスコープのブロック図である。
【図２】ファイバーLyotデポラライザを備えるコイル共振器を示す図である。
【図３】本発明の一実施形態により形成されるファイバーLyotデポラライザを示す図である。
【発明を実施するための形態】
【００１９】
図１は、光ファイバージャイロスコープ（ＦＯＧ）２０を示している。ＦＯＧ２０は、環境変化に強いファイバーデポラライザを含む。ファイバーデポラライザは、実質的に等しい時計回りのファイバーレッグ区域３２および反時計回りファイバーレッグ区域３４を含み、これらはコイル３６の回りに対称な巻パターンで巻きつけられ、端部のところでジャイロスコープ感知コイル３６に連結されている。ファイバーデポラライザ区域３２、３４の設計に対する特別の注意は、環境変動の応力に対する強化された耐性を提供する。
【００２０】
ファイバーデポラライザ３１の環境変動に対する感度を最小化するために、反対に進むデポラライザファイバーレッグ区域３２、３４の長さは、好ましくは実質的に等しい長さである。さらに、対称性に関し、ファイバーデポラライザ３１は、少なくとも１つのファイバーデポラライザ時計回り区域３２と、少なくとも１つのデポラライザ反時計回り区域３４を含む。しかし、好ましくは、それぞれの伝播レッグ区域３２、３４は、少なくとも２つのデポラライザセグメント３２−１、３２−２、３４−１、３４−２を備える。
【００２１】
実質的に等しいファイバーデポラライザ区域３２、３４に貢献する他のファクターは、伝播レッグ３２−１、３２−２および３４−１、３４−２のファイバー設計に調和させる。一般に、ファイバーデポラライザは、偏光保持（polarization maintaining, PM）ファイバーセグメントから全体が形成される。図２は、時計回り伝播レッグ３２内と反時計回り伝播レッグ３４内との２つのＰＭセグメントを示している。ファイバーデポラライザ３１は、全体がＰＭセグメントで形成されるので、反対方向に伝播するファイバーレッグ３２、３４の調和した熱膨張特性は、環境変化に対する感度を低減し得る。それゆえ、セグメント３２−１およびセグメント３２−２は、セグメント３４−１およびセグメント３４−２と同一のファイバー設計を備えるべきである。このファイバー設計は、実質的に同一のタイプのＰＭファイバー、同一のファイバーコーティング、および同一の長さを備える。
【００２２】
図２に示されるように、レッグ３２、３４を備えるデポラライザ３１は、ＦＯＧ検出コイル３６の外側直径上に巻かれる。米国特許第６２１１９６３号明細書は、検出コイル３６を巻くための様々な技術およびデポラライザレッグ３２、３４の技術を開示している。米国特許第６２１１９６３号明細書は参照により本明細書に統合される。
【００２３】
図３に示すように、２つの長さのＰＭ型高複屈折フォトニック結晶ファイバー４２、４４が、それぞれの偏光軸が４５°になるように互いに接合される（たとえばフィージョン）。結果として得られるデポラライザは、光ファイバジャイロスコープ内の信号減衰を低減するのに用いられる。
【００２４】
一実施形態において、１００ｍで３０ｄＢより大きな利得の偏光消光比（Polarization Extinction Ratio, PER）を備え、且つ、４ｍｍの最大ビート長（２つの伝播軸の間の２π位相シフトのために必要な長さ）を備えるフォトニック結晶ファイバーが用いられる。これは、最小の複屈折が許容されることを説明している。理論上は最大許容限界はない。
【００２５】
ファイバー４２、４４の物理的長さは、光学回路内の他のＰＭセグメントに干渉する遅延を生じさせずに光学回路内で光を脱偏光させるのに必要なビート長の最小数により決定される。一般に、フォトニック結晶ファイバー４２、４４の短い最大ビート長は、物理的長さが最小化されることを確保し、ファイバーが温度変動や振動にさらされるのを少なくする。ファイバー４２、４４の物理的長さは、等しい長さである必要はない。これらの具体的な長さは、上述の長さ決定により決められる。
【００２６】
以上のように本発明の好ましい実施形態が図示および説明されたが、本発明の趣旨および範囲から逸脱することなく多くの変更が可能である。従って、本発明の範囲は上述の好ましい実施形態の開示に限定されない。本発明は、添付の特許請求の範囲を参照することにより完全に決定されるべきである。
【図１】
2010217171.tif 000003
【図２】
2010217171.tif 000004
【図３】
2010217171.tif 000005
【外国語明細書】
2010217171000001.pdf